(57)【特許請求の範囲】
【請求項１】
油を封入した機器の下方周辺にポリエステル薄布体，ウール薄布体の中から選ばれる１種からなる油吸着シート、または、ポリエステル薄布体とウール薄布体を積層した油吸着シートを配置し、前記油吸着シートの上方に距離測定装置を配設して前記油吸着シートの上面との距離を測定し、前記距離の測定値と予め設定されたしきい値とを比較して、前記測定値が前記しきい値より短縮されたときに油漏出が発生したと判定して警報を発することを特徴とする油漏出監視方法。
【請求項２】
油を封入した機器の下方周辺に配置されるポリエステル薄布体，ウール薄布体の中から選ばれる１種からなる油吸着シート、または、ポリエステル薄布体とウール薄布体を積層した油吸着シートと、前記油吸着シートの上方に配設されて前記油吸着シートの上面との距離を測定する距離測定装置と、前記距離の測定値と予め設定されたしきい値とを比較し、さらに前記測定値が前記しきい値より短縮されたときに油漏出が発生したと判定する演算装置と、前記油漏出が発生したときに警報を表示する表示装置と、を有することを特徴とする油漏出監視装置。
【発明の詳細な説明】
【技術分野】
【０００１】
本発明は、トランス，シリンダー等の油を封入した機器の油漏出を監視する方法および装置に関するものである。
【背景技術】
【０００２】
油を封入した機器から油（たとえばトランスの絶縁油，シリンダーの作動油等）が漏出すると、様々な問題が発生する。たとえば各種の設備に組み込まれた稼働中の機器から油が漏出すると、その設備の故障を引き起こすばかりでなく、設備の安全性に悪影響を及ぼす。また倉庫等に保管中の機器から油が漏出すると、周辺の環境汚染を引き起こす。したがって、油漏出が発生すると直ちにその機器の補修を行なう必要がある。
【０００３】
そこで、油漏出を監視する技術が種々検討されている。
たとえば特許文献１には、油膜からの反射光を受光し、さらに３原色の各波長に対する特性を解析して油漏出を判定する技術が開示されている。この技術は、水面に油膜が浮遊している場合に有効であるが、水が存在しない場所への油漏出を判定する精度は劣る。
特許文献２には、着色シートを使用して油漏出を監視する技術が開示されている。この着色シートは、油と接触すると変色する油溶性染料を染み込ませたシートである。しかし着色シートの変色を監視するための有効な装置は開発されておらず、監視員の定期的な見回り点検によって着色シートの変色を監視せざるを得ない。したがって、油漏出の判定精度の大幅な向上は期待できない。
【０００４】
特許文献３には、漏出した油をカーボン粉末で黒く変色させて、油漏出を監視する技術が開示されている。この技術では、ＴＶカメラを使用するが、撮影機器の解像度や画像の鮮明さ等が油漏出の判定に影響を及ぼすので、判定の精度が低下する惧れがある。
【先行技術文献】
【特許文献】
【０００５】
【特許文献１】実開平4-8940号公報
【特許文献２】特開2006-216715号公報
【特許文献３】特開2005-156195号公報
【発明の概要】
【発明が解決しようとする課題】
【０００６】
本発明は、油漏出を簡便な手段で精度良く監視する方法および装置を提供することを目的とする。
【課題を解決するための手段】
【０００７】
発明者は、油を封入した機器（たとえばトランス，シリンダー等）からの油漏出を監視する技術を検討した。その結果、油を吸着するとその体積が膨張する特性を有するシート（以下、油吸着シートという）が有効に使用できることが分かった。すなわち、油漏出の監視対象となる機器の下方周辺に油吸着シートを配置し、その油吸着シートが油を吸着することによって生じる体積膨張を検知することによって、油漏出を判定することが可能である。
【０００８】
そこで、油吸着シートの体積膨張を検知する技術について、さらに詳細に研究した。そして、油吸着シートの体積が膨張すると、その油吸着シートの上面が上昇することに着目した。油吸着シートの上面を観察することによって油漏出の判定を可能にするために、油吸着シートの上方の所定の位置に距離測定装置を配設して固定し、その距離測定装置と油吸着シートの上面との距離を測定する。その距離の測定値が短くなれば、油吸着シートの体積が膨張したことを意味する。このようにして油漏出の判定が可能である。
【０００９】
本発明は、これらの知見に基づいてなされたものである。
すなわち本発明は、油を封入した機器の下方周辺にポリエステル薄布体，ウール薄布体の中から選ばれる１種からなる油吸着シート、または、ポリエステル薄布体とウール薄布体を積層した油吸着シートを配置し、油吸着シートの上方に距離測定装置を配設して油吸着シートの上面との距離を測定し、距離の測定値と予め設定されたしきい値とを比較して、測定値がしきい値より短縮されときに油漏出が発生したと判定して警報を発する油漏出監視方法である。
【００１０】
また本発明は、油を封入した機器の下方周辺に配置されるポリエステル薄布体，ウール薄布体の中から選ばれる１種からなる油吸着シート、または、ポリエステル薄布体とウール薄布体を積層した油吸着シートと、油吸着シートの上方に配設されて油吸着シートの上面との距離を測定する距離測定装置と、距離の測定値と予め設定されたしきい値とを比較し、さらに測定値が前記しきい値より短縮されたときに油漏出が発生したと判定する演算装置と、油漏出が発生したときに警報を表示する表示装置と、を有する油漏出監視装置である。
【発明の効果】
【００１１】
本発明によれば、油を封入した様々な機器の油漏出を、簡便な手段でかつ高い精度で判定できる。しかも、その機器が稼働中であっても保管中であっても、油漏出を監視することが可能である。
【図面の簡単な説明】
【００１２】
【図１】本発明を適用する装置の例を模式的に示す配置図である。
【発明を実施するための形態】
【００１３】
図１は、本発明を適用する装置の例を模式的に示す配置図である。油を封入した機器１の下方周辺に油吸着シート２を配置する。油吸着シート２は、ポリエステル繊維を織ったポリエステル薄布体，ウール繊維を織ったウール薄布体を積層したものであり、油は吸着するが、水は吸着しない。そのため、屋外に設置された機器の油漏出を監視する場合に、油吸着シート２を屋外で使用しても雨水を吸着せず、漏出した油のみを吸着する。したがって、屋外に設置された機器の油漏出を支障なく監視できる。なお屋内で油吸着シート２を使用する場合には、雨水の影響は皆無であるから、何ら問題なく使用できる。
【００１４】
なお、ポリエステル薄布体，ウール薄布体は、それぞれ単体で使用しても良いが、２種を併用することが好ましい。いずれの場合も、ポリエステル薄布体，ウール薄布体を積層して、所定の厚さの油吸着シート２を得る。
油吸着シート２の上方に距離測定装置３を配設する。距離測定装置３は、非接触式（たとえばレーザー距離計等）や接触式（たとえば深さゲージ等）の従来から知られている技術が使用できる。ただし、油漏出の判定精度を高めるためには、非接触式の距離測定装置を使用することが好ましい。その理由は、接触式の距離測定装置では油吸着シートの体積膨張を検出する精度が劣るからである。
【００１５】
以下では、距離測定装置３として非接触式の距離測定装置を使用する例について説明する。
図１に示すように、油吸着シート２の上方の所定の位置に距離測定装置３を配設して固定し、その距離測定装置３と油吸着シート２の上面との距離を測定する。油吸着シート２が油を吸着して体積が膨張（すなわち上面が上昇）すると、距離測定装置３で測定した油吸着シート２の上面との距離が短縮される。
【００１６】
距離測定装置３による測定値は演算装置４に伝送される。一方で、油漏出の判定基準となるしきい値を予め設定しておき、演算装置４がそのしきい値と距離測定装置３による測定値とを比較する。そして、距離測定装置３と油吸着シート２の上面との距離の測定値がしきい値より短くなったときに、油漏出が発生したと判定する。
油漏出を判定した信号は表示装置５に伝送される。表示装置５は、油漏出の警報を発するものであり、画面に警報を表示する、音声で警報を知らせる、ライトを点滅させる、サイレンを鳴らす等の従来から知られている技術が使用できる。
【００１７】
以上に説明した通り、油を封入した様々な機器の油漏出を、簡便な手段でかつ高い精度で判定できる。しかも、その機器が稼働中であっても保管中であっても、また屋内あるいは屋外を問わず、油漏出を監視することが可能である。その結果、作業員は迅速かつ適確に対応できる。
【実施例】
【００１８】
図1に示す油吸着シート２，距離測定装置３，演算装置４，表示装置５を用いて油漏出を監視する実験を行なった。距離測定装置３はレーザー距離計を使用し、表示装置５はパソコンの画面を使用した。実験の手順とその結果について、以下に説明する。
油吸着シート２（カクイ株式会社製，縦500mm, 横500mm，厚さ12mm）を床面に敷き、その油吸着シート２の上方に距離測定装置３を配設した。距離測定装置３と油吸着シート２の上面との距離を100mmとして、距離測定装置３を固定した。一方で、油漏出の判定基準となるしきい値を95mmに設定した。そして、トランスで使用される絶縁油を単位面積あたり6000cm3／ｍ2の割合で油吸着シート２の上面に流して、絶縁油を油吸着シート２に吸着させたところ、油吸着シート２の体積が膨張した。その結果、距離測定装置３と油吸着シート２の上面との距離の測定値が94mmとなり、パソコンの画面に油漏出発生が表示された。
【００１９】
次に、絶縁油を吸着した油吸着シート２を取り除き、同寸法の新たな油吸着シート２を敷いた。距離測定装置３と油吸着シート２の上面との距離を100mmとして距離測定装置３を固定し、油漏出の判定基準となるしきい値を95mmに設定した。そして、水を6000cm3／ｍ2の割合で油吸着シート２の上面に流したが、油吸着シート２に吸着されず、周辺の床面に流出した。その結果、距離測定装置３と油吸着シート２の上面との距離の測定値が100mmのままで変化せず、パソコンの画面に油漏出発生は表示されなかった。
【００２０】
以上に説明した通り、油漏出を簡便な手段でかつ高い精度で判定できることが確かめられた。しかも屋外で使用しても雨水の影響を受けないので、屋外あるいは屋内を問わず油漏出を監視できることが確かめられた。
【産業上の利用可能性】
【００２１】
機器が稼働中であっても保管中であっても、油漏出を簡便な手段でかつ高い精度で判定でき、産業上格段の効果を奏する。
【符号の説明】
【００２２】
１  油を封入した機器
２  油吸着シート
３  距離測定装置
４  演算装置
５  表示装置
【図１】
0005625303.tif 000002